【手続補正書】
【提出日】平成15年6月16日(2003.6.16)
【手続補正１】
【補正対象書類名】明細書
【補正対象項目名】特許請求の範囲
【補正方法】変更
【補正の内容】
【特許請求の範囲】
【請求項１】
液体容器内の液体の消費状態を検出するために用いられる圧電装置を前記液体容器に装着するための取付構造体であって、
前記圧電装置が装着される圧電装置装着部と、
前記液体容器に取り付けられる液体容器取付部と、
開口部を有する取付プレートと、を備え、
前記圧電装置は前記取付プレートを介して前記圧電装置装着部に装着され、
前記圧電装置装着部は前記液体容器取付部に接続され、
前記液体容器取付部が前記液体容器に取り付けられた場合、前記圧電装置は前記液体容器内の液体に面し、
前記圧電装置は振動部を有し、
前記圧電装置の前記振動部は、前記開口部を介して前記液体容器内の液体と接触することを特徴とする取付構造体。
【請求項２】
前記液体容器取付部の頂面に前記圧電装置装着部が形成されていることを特徴とする請求項１に記載の取付構造体。
【請求項３】
前記液体容器取付部が、前記液体容器に形成された貫通孔に嵌合する円柱部を備えていることを特徴とする請求項１に記載の取付構造体。
【請求項４】
前記液体容器取付部が、前記円柱部と一体的に形成された基台を備えていることを特徴とする請求項３に記載の取付構造体。
【請求項５】
前記液体容器取付部の前記液体容器との嵌合部にシーリング構造を有することを特徴とする請求項１に記載の取付構造体。
【請求項６】
前記圧電装置装着部が前記液体容器内の液体の液面に対して傾斜するように形成されていることを特徴とする請求項１に記載の取付構造体。
【請求項７】
液体容器内の液体の消費状態を検出するために用いられる圧電装置であって、一対の電極によって挟まれた圧電層を含む圧電素子を有する圧電装置と、
前記圧電装置を前記液体容器に装着するための取付構造体であって、前記圧電装置が装着される圧電装置装着部と、前記液体容器に取り付けられる液体容器取付部と、を有する取付構造体と、を備え、
前記圧電装置装着部は前記液体容器取付部に接続され、
前記液体容器取付部が前記液体容器に取り付けられた場合、前記圧電装置は前記液体容器内の液体に面し、
前記圧電装置は、前記圧電素子が一方の面に配置された振動板と、前記振動板の他方の面に配置され、キャビティが形成されたキャビティ形成部材と、を有し、
前記キャビティを介して前記振動板が前記液体容器内の液体と接触可能となるように構成されていることを特徴とするモジュール体。
【請求項８】
前記キャビティ形成部材が前記圧電素子及び前記振動板と一体的に形成された基板であることを特徴とする請求項７に記載のモジュール体。
【請求項９】
前記キャビティ形成部材が前記圧電装置に装着される取付プレートであることを特徴とする請求項７に記載のモジュール体。
【請求項１０】
開口部を有する取付プレートを更に備え、前記基板の前記キャビティと前記取付プレートの前記開口部が連通するように配置されていることを特徴とする請求項８に記載のモジュール体。
【請求項１１】
前記液体容器取付部から突出するように形成された前記圧電装置装着部の側面に前記圧電装置が装着されていることを特徴とする請求項７に記載のモジュール体。
【請求項１２】
前記圧電素子を前記液体容器の液体から絶縁させる絶縁部を有することを特徴とする請求項７に記載のモジュール体。
【請求項１３】
前記圧電装置装着部と前記圧電装置との取付部位をモールドするモールド部をさらに有することを特徴とする請求項１２に記載のモジュール体。
【請求項１４】
前記圧電装置に残留する残留振動によって逆起電力を発生させることを特徴とする請求項７に記載のモジュール体。
【請求項１５】
更に回路基板を有することを特徴とする請求項７に記載のモジュール体。
【請求項１６】
前記取付構造体は、前記圧電素子の前記一対の電極に接続された一対の導電部材を有し、前記一対の導電部材によって前記圧電装置が支持されていることを特徴とする請求項７に記載のモジュール体。
【請求項１７】
前記液体容器取付部は、前記液体容器に着脱可能に取り付けられるように構成されていることを特徴とする請求項７に記載のモジュール体。
【請求項１８】
容器本体と、
前記容器本体に取り付けられたモジュール体であって、前記容器本体内の液体の消費状態を検出するために用いられる圧電装置を有し、前記圧電装置は一対の電極によって挟まれた圧電層を含む圧電素子を有する、モジュール体と、
前記圧電装置を前記容器本体に装着するための取付構造体であって、前記圧電装置が装着される圧電装置装着部と、前記容器本体に取り付けられる液体容器取付部と、を有する取付構造体と、を備え、
前記圧電装置装着部は前記液体容器取付部に接続され、
前記液体容器取付部が前記容器本体に取り付けられた場合、前記圧電装置は前記容器本体内の液体に面し、
前記圧電装置は、前記圧電素子が一方の面に配置された振動板と、前記振動板の他方の面に配置され、キャビティが形成されたキャビティ形成部材と、を有し、
前記キャビティを介して前記振動板が前記容器本体内の液体と接触可能となるように構成されていることを特徴とする液体容器。
【請求項１９】
前記圧電装置装着部が前記容器本体内方に突出する様に配置されていることを特徴とする請求項１８記載の液体容器。
【請求項２０】
前記圧電装置装着部が前記容器本体内の液体の液面に対して傾斜するように形成されていることを特徴とする請求項１９に記載の液体容器。
【請求項２１】
前記液体容器取付部と前記容器本体との取付部位がモールドされていることを特徴とする請求項１８に記載の液体容器。
【請求項２２】
前記モジュール体が前記容器本体に着脱可能に取り付けられていることを特徴とする請求項１８に記載の液体容器。
【請求項２３】
液体容器内の液体の消費状態を検出するために用いられる圧電装置を前記液体容器に装着するための取付構造体であって、
前記圧電装置が装着される圧電装置装着部と、
前記液体容器に取り付けられる液体容器取付部と、を備え、
前記圧電装置装着部は前記液体容器取付部に接続され、
前記液体容器取付部が前記液体容器に取り付けられた場合、前記圧電装置は前記液体容器内の液体に面し、
前記圧電装置装着部は開口部を有し、
前記圧電装置は振動部を有し、
前記圧電装置の前記振動部は、前記開口部を介して前記液体容器内の液体と接触することを特徴とする取付構造体。
【請求項２４】
液体容器内の液体の消費状態を検出するために用いられる圧電装置であって、一対の電極によって挟まれた圧電層を含む圧電素子を有する圧電装置と、
前記圧電装置を前記液体容器に装着するための取付構造体であって、前記圧電装置が装着される圧電装置装着部と、前記液体容器に取り付けられる液体容器取付部と、を備え、
前記圧電装置装着部は開口部を有し、
前記圧電装置は振動部を有し、
前記圧電装置の前記振動部は、前記開口部を介して前記液体容器内の液体と接触することを特徴とするモジュール体。
【請求項２５】
前記一対の電極は、前記圧電層に駆動信号を伝達する機能と共に前記圧電層からの検出信号を伝達する機能を有することを特徴とする請求項２４に記載のモジュール体。
【請求項２６】
容器本体と、
前記容器本体に取り付けられたモジュール体であって、前記容器本体内の液体の消費状態を検出するために用いられる圧電装置を有し、前記圧電装置は一対の電極によって挟まれた圧電層を含む圧電素子を有する、モジュール体と、
前記圧電装置を前記容器本体に装着するための取付構造体であって、前記圧電装置が装着される圧電装置装着部と、前記容器本体に取り付けられる液体容器取付部と、を有する取付構造体と、を備え、
前記圧電装置装着部は開口部を有し、
前記圧電装置は振動部を有し、
前記圧電装置の前記振動部は、前記開口部を介して前記容器本体内の液体と接触することを特徴とする液体容器。
【請求項２７】
前記一対の電極は、前記圧電層に駆動信号を伝達する機能と共に前記圧電層からの検出信号を伝達する機能を有することを特徴とする請求項２６に記載の液体容器。